(57)【要約】【課題】収納時においてもレンズ鏡筒より突出することなく撮像装置全体のスリム化、小型化を図る。【解決手段】ポップアップ位置と格納位置とを回動可能に支承されている閃光装置２３を備えた撮像装置１において、閃光装置２３が取り付けられ撮像装置１の内外に亘り回動される回動部５１と、撮像装置１の前後方向にスライド自在に支持されるスライド部５２とを備えた可動フレーム２６と、可動フレーム２６のスライド部５２をスライド可能に支持するベースフレーム２５と、一端をベースフレーム２５に支持され、他端を可動フレーム２６の回動部５１に支持され、撮像装置１の前面側にスライドされた可動フレーム２６の回動部５１をポップアップ位置へ上昇可能に支持する支持アーム２７と、可動フレーム２６を撮像装置１の前面側に付勢する付勢手段２８と、可動フレーム２６を撮像装置１の背面側に係止する係止手段２９とを有する。【選択図】図８
2005208427.tif 000002
【特許請求の範囲】
【請求項１】
ポップアップ位置と格納位置とを回動可能に支承されている閃光装置を備えた撮像装置において、
先端側に閃光装置が取り付けられ上記撮像装置の内外に亘り回動される回動部と、上記回動部と回転自在に結合され、上記撮像装置の前後方向にスライド自在に支持されるスライド部とを備えた可動フレームと、
上記可動フレームのスライド部をスライド可能に支持するベースフレームと、
一端を上記ベースフレームに回転可能に支持され、他端を上記可動フレームの回動部に回転可能に支持されることにより、上記撮像装置の前面側にスライドされた上記可動フレームの回動部を上記ポップアップ位置へ上昇可能に支持する支持アームと、
上記可動フレームを上記撮像装置の前面側に向かって付勢する付勢手段と、
上記可動フレームを上記撮像装置の背面側に係止する係止手段とを有する撮像装置。
【請求項２】
上記係止手段は、上記ベースフレームの後方に設けられ、上記可動フレームの後端部を係止することを特徴とする請求項１記載の撮像装置。
【請求項３】
上記係止手段は、上記可動フレームに設けられた係止部材を係止するフック部を有し、該フック部が上記ベースフレームの面方向に回動されることにより上記可動フレームを係止することを特徴とする請求項２記載の撮像装置。
【請求項４】
上記可動フレームは、上記回動部と上記スライド部との間に付勢部材が係止されることによりがたつきが防止されていることを特徴とする請求項１記載の撮像装置。
【発明の詳細な説明】
【技術分野】
【０００１】
本発明は、ストロボ等の閃光装置のポップアップ機構及び閃光装置を備えた撮像装置に関する。
【背景技術】
【０００２】
従来より、静止画又は動画の撮像装置において、光量不足を補う閃光装置（以下、「ストロボ装置」という。）を備えたものがある。この種の撮像装置１００におけるストロボ装置１０１は、不使用時には図１５に示すように、装置本体１０２内に格納され、使用時には図１６に示すように、ボタン操作又はオートでポップアップ位置へ回動動作される。このストロボ装置１０１のポップアップ機構１０３は、図１７に示すように、装置本体１０２に固定されたベースフレーム１０５と、ベースフレーム１０５にポップアップ位置と格納位置とに亘って回動可能に支持されるとともにストロボ装置１０１が取り付けられた可動フレーム１０６と、可動フレーム１０６をポップアップ位置に付勢するコイルバネ１０７と、ベースフレーム１０５に回転自在に取り付けられ可動フレーム１０６をストロボ装置１０１の格納位置に係止させる作動部材１０８とを備える。
【０００３】
可動フレーム１０６を支持するベースフレーム１０５は、可動フレーム１０６を支持する軸１１０が挿通される軸孔１１１を備える一対の軸受け板１１２，１１２を有する。ベースフレーム１０５は、軸受け板１１２，１１２間に軸１１０が挿通されると共に、軸受け板１１２，１１２の外方に突出された軸１１０の両端部が可動フレーム１０６に挿通されることにより、可動フレーム１０６を軸１１０を支点に回動可能に支持している。また、軸受け板１１２，１１２には、可動フレーム１１０の回動領域を規制するガイドピン１１４が設けられている。ガイドピン１１４は、可動フレーム１０６に設けられた円弧状のガイド孔１１５に挿通されることにより、ガイド孔１１５に沿って可動フレーム１０６の回動をガイドする。また、一方の軸受け板１１２には、軸１１０に挿通されるコイルバネ１０７の一端が係止されるバネ係止部１１６が形成されている。
【０００４】
このベースフレーム１０５に回動可能に支持される可動フレーム１０６は、ストロボ装置１０１の外装体１１７が取り付けられる主面部１１８と、主面部１１８の両端より立ち上がり形成された一対の側壁１１９，１１９とを備える。可動フレーム１０６の主面部１１８には、コイルバネ１０７の他端が係止されるバネ係止部１２０が設けられている。また、主面部１１８は、係止片１２１が突設され、作動部材１０８のフックに係合されるワイヤ１２２が設けられている。この主面部１１８の両端より立ち上がり形成された側壁１１９，１１９は、ベースフレーム１０５の軸受け板１１２に軸支された軸１１０の両端が挿通される軸孔１２４と、ガイドピン１１４が挿通されるガイド孔１１５とが開口されている。
【０００５】
そして、可動フレーム１０６は、ベースフレーム１０５に挿通された軸１１０が挿通されると共に、軸１１０に挿通されたコイルバネ１０７の他端が係止されることにより、図１８に示すように、コイルバネ１０７の付勢力によって、常時、主面部１１８に取り付けられた外装体１１７をポップアップ位置に回動させる図１８中矢印Ｕ方向へ付勢されている。
【０００６】
この可動フレーム１０６をストロボ装置１０１の格納位置に係止させる作動部材１０８は、ベースフレーム１０５に回転自在に取り付けられ、上記可動フレーム１０６の主面部１１８に設けられたワイヤ１２２が係止されるフック１２５と、作動部材１０８の回動を規制するプランジャー１２６と接続された係合アーム１２７とを備える。
【０００７】
フック１２５は、先端に可動フレーム１０６のワイヤ１２２が係合される係合斜面１２５ａが設けられている。この係合斜面１２５ａは、ワイヤ１２２との摩擦角より大きく設定されている。また、係合アーム１２７は、プランジャー１２６と接続されることにより、作動部材１０８を回転させ、フック１２５と可動フレーム１０６のワイヤ１２２との係合を解除させる。プランジャー１２６は、鉄片１２６ａを備え、この鉄縁１２６ａと係合アーム１２７とが接続される。そして、プランジャー１２６は、鉄片１２６ａを磁気吸着することにより作動部材１０８の回転を規制し、フック１２５と可動フレーム１０６のワイヤ１２２との係合を保持させ、また、鉄片１２６ａの磁気吸着が解除されることにより作動部材１０８の回転を自由にさせる。
【０００８】
そして、ストロボ撮影を行う際、作動部材１０８は、プランジャー１２６による鉄片１２６ａの磁気吸着が解除され、ポップアップ位置に付勢されている可動フレーム１０６の主面部１１８に取り付けられたワイヤ１２２によって、コイルバネ１０７の付勢力を受けたフック１２５が係合斜面１２５ａに沿って押圧されて、回転される。フック１２５とワイヤ１２２との係合が解除されると、可動フレーム１０６は、コイルバネ１０７の付勢力により図１８中矢印Ｕ方向に回動される。これにより、ストロボ装置１０１は、ポップアップ位置まで上昇され、発光可能とされる。なお、作動部材１０８は、可動フレーム１０６がポップアップ位置へ回動された後、再度プランジャー１２６が鉄片１２６ａを磁気吸着することにより回転され、フック１２５が可動フレーム１０６のワイヤ１２２を係合可能に待機する。
【０００９】
ストロボ装置１０１を格納する場合は、ユーザによって外装体１１７が格納位置に押し下げられる。ストロボフレーム１１７が押し下げられると、可動フレーム１０６は、主面部１１８に設けられたワイヤ１２２が作動部材１０８のフック１２５に係合される。これにより、ストロボ装置１０１は、コイルバネ１０７の付勢力に対抗して、格納位置に保持される。
【００１０】
【特許文献１】特開２００２−２５０９６２号公報
【発明の開示】
【発明が解決しようとする課題】
【００１１】
以上のように、ストロボ装置１０１のポップアップ機構１０３は、軸１１０に支持された可動フレーム１０６が、コイルバネ１０７の付勢力を受けてポップアップ位置へ回動されるものである。また、可動フレーム１０６は、側壁１１９，１１９に穿設され軸１１０が挿通される軸孔１２４を回動中心として、ポップアップ位置まで回動される。
【００１２】
このようなストロボ装置１０１は、可動フレーム１０６が側壁１１９，１１９の軸孔１２４を回動中心としてポップアップ位置まで回動されるものであり、撮像装置１００本体の収納位置からポップアップ位置までの上下方向に回動され、撮像装置１００の前後方向への移動はされない。そのため、フラッシュ発光がレンズ鏡筒の前端部に遮られることを防止するため、ストロボ装置１０１の設定箇所は必然的にレンズ鏡筒前端側に制約され、設計の自由度が限られてしまう。
【００１３】
また、ポップアップ機構１０３は、可動フレーム１０６に設けられたワイヤ１２２を作動部材１０８より立ち上がり形成されたフック１２５に係止することにより、ストロボ装置１０１のポップアップを規制している。したがって、ポップアップ機構１０３は、可動フレーム１０６を係止するフックの高さ分だけ厚みを要し、ストロボ装置１０１の不使用時に装置本体１０２内に収納された状態においても、撮像装置１００の上面からストロボ装置１０１が突出し、撮像装置全体のスリム化、小型化を図ることができない。
【００１４】
さらに、撮像装置１００は、可動フレーム１０６が軸１１０を回動中心として回動されるものであるため、可動フレーム１０６に取り付けられたストロボ装置１０１の後端部と、ストロボ装置１０１が収納される撮像装置１００の上面部との間には、ストロボ装置１０１の外筐の回動領域を確保するためのクリアランスが必要となる。かかるクリアランスは、ストロボ装置１０１の収納時においてもストロボ装置１０１の後端部と撮像装置本体の上面部との間に現れるため、該上面部を面一に形成することができなかった。
【００１５】
そこで、本発明は、収納時においてもレンズ鏡筒より突出することなく撮像装置全体のスリム化、小型化を図るとともに、ストロボ装置の設計の自由度を確保し、撮像装置上面部を面一に収納可能なストロボ装置を備えた撮像装置を提供することを目的とする。
【課題を解決するための手段】
【００１６】
上述した課題を解決するために、本発明にかかる撮像装置は、ポップアップ位置と格納位置とを回動可能に支承されている閃光装置を備えた撮像装置において、先端側に閃光装置が取り付けられ上記撮像装置の内外に亘り回動される回動部と、上記回動部と回転自在に結合され、上記撮像装置の前後方向にスライド自在に支持されるスライド部とを備えた可動フレームと、上記可動フレームのスライド部をスライド可能に支持するベースフレームと、一端を上記ベースフレームに回転可能に支持され、他端を上記可動フレームの回動部に回転可能に支持されることにより、上記撮像装置の前面側にスライドされた上記可動フレームの回動部を上記ポップアップ位置へ上昇可能に支持する支持アームと、上記可動フレームを上記撮像装置の前面側に向かって付勢する付勢手段と、上記可動フレームを上記撮像装置の背面側に係止する係止手段とを有するものである。
【発明の効果】
【００１７】
このような本発明にかかる撮像装置によれば、可動フレームを撮像装置の前後方向にスライド可能に形成するとともに、撮像装置の背面側に可動フレームを係止する係止手段を配設しているため、閃光装置が、撮像装置の前方にスライドしながらポップアップ位置まで回動される。したがって、ポップアップ位置に回動された閃光装置は、発光部が撮像装置の前端部近傍に位置されるため、撮像装置の前端部に設けられているレンズ部により光が遮られることがない。
【００１８】
また、可動フレームをベースフレームの後側に係止させる係止手段のフック部を、ベースフレームの面方向であるへ回動するように形成することにより、厚さが薄く形成されている。したがって、閃光装置が撮像装置から突出することなく収納され、撮像装置の上面を面一に形成することができる。
【００１９】
さらに、閃光装置が装置本体の前方へスライドされながらポップアップ位置へ回動されるものであるため、閃光装置の外筐体の後端部と撮像装置の上面との間に、閃光装置の回動領域を確保するためのクリアランスを形成する必要がない。したがって、撮像装置は、閃光装置の収納時において、上面を平坦に形成することができる。
【発明を実施するための最良の形態】
【００２０】
以下、本発明を適用した撮像装置について、図面を参照しながら詳細に説明する。
【００２１】
本発明を適用した撮像装置は、例えば図１及び図２に示すカメラ一体型デジタルビデオテープレコーダ（以下、デジタルビデオカメラという。）１である。このデジタルビデオカメラ１は、本体部２と、この本体部２の一側面に開閉可能に取り付けられたパネル部３と、このパネル部３とは反対側の本体部２の他側面に回動可能に取り付けられたグリップ部４とを備えている。
【００２２】
本体部２は、被写体の像を撮影するための撮像ユニットを有しており、この本体部２の前面には、撮像レンズ５ａを外部に臨ませるレンズ部５が突出して設けられている。また、本体部２の上面部２ａには、夜間等にストロボを発光させるフラッシュ発光部６がポップアップ可能に設けられている。また、本体部２の上面部２ａには、音声を収録するための音声収録ユニットとして、マイクロフォン等のステレオマイク７がフラッシュ発光部６よりも後方に位置して設けられている。
【００２３】
なお、本体部２の内部には、撮像レンズ５ａを含む撮像光学系が内蔵されたレンズ鏡筒や、このレンズ鏡筒で結像された被写体の像を撮像するＣＣＤ(Charge Coupled Device)やＣＭＯＳ(Complementary Mental-Oxide Semiconductor device)等の撮像素子が設けられており、撮像ユニットは、撮像レンズ５ａを通して取り込まれた画像を撮像素子により電気信号に変換し、映像データとして後述する記録再生ユニットや表示ユニット等に出力する。
【００２４】
本体部２の背面側の上部には、上述した撮像ユニットにより撮像された画像を表示する本体側の表示ユニットとして、アイカップ８ａから内部の液晶表示素子(ＬＣＤ:Liquid Crystal Display)に表示された画像を覗き見るＥＶＦ(Electronic View Finder)等のファインダ部８が設けられている。
【００２５】
本体部２の背面側の下部には、図２及び図６に示すように、この本体部２の筐体を構成する蓋体９が開閉可能に取り付けられており、この蓋体９の内側には、電源となるバッテリ１０が挿脱されるバッテリ挿脱口１１と、このバッテリ挿脱口１１を通して内部にバッテリ１０が収納されるバッテリ収納部１２とが設けられている。すなわち、このデジタルビデオカメラ１では、バッテリ１０を本体部２の内部に収納することが可能となっている。
【００２６】
また、本体部２とグリップ部４との間の連結部１３の背面には、端子カバー１４が開閉可能に取り付けてられており、この端子カバー１４の内側には、例えばヘッドフォンやマイク等を接続するためのヘッドフォン出力端子やマイク入力端子、パーソナルコンピュータ等の他の電子機器に対して映像信号及び音声信号の入出力を行うための映像／音声入出力端子、外部電源（ＡＣアダプタ）と接続される電源ジャック等の外部接続用の端子部が設けられている。また、本体部２の各所には、各種操作を行うための操作ボタンやスイッチ等が設けられている。
【００２７】
パネル部３は、図２及び図３に示すように、本体部２に２軸の回動ヒンジ機構１５を介して回動可能に取り付けられている。このヒンジ機構１５は、パネル部３を本体部２に対して、図３中矢印Ａに示す開閉方向に略９０゜の角度範囲で回動可能に支持すると共に、図３中矢印Ｂに示す開閉方向と直交する軸回りに略２７０゜の角度範囲で回動可能に支持している。これにより、パネル部３は、本体部２に対して開閉したり、開いた状態において向きを切り替えることが可能となっている。また、パネル部３は、閉じた状態において、本体部２の一側面を切り欠くように形成されたパネル収納部１６に収納することが可能となっている。
【００２８】
また、パネル部３の一主面側には、上述した撮像ユニットにより撮像された画像を表示するパネル側の表示ユニットとして、液晶表示パネル（ＬＣＤ）１７が設けられている。したがって、このデジタルビデオカメラ１では、上記ファインダ部８以外にも、撮像レンズ５ａを通して撮影された画像を液晶表示パネル１７に表示することが可能となっている。なお、この液晶表示パネル１７の前面には、タッチパネルが設けられており、液晶表示パネル１６に表示された画像を見ながら、タッチパネルを指等で押圧することによって、各種操作を行うことが可能となっている。
【００２９】
グリップ部４は、図２，図４及び図５に示すように、このデジタルビデオカメラ１を撮影者が把持する部分であり、本体部２の連結部１３に回動ヒンジ機構１８を介して回動可能に取り付けられている。この回動ヒンジ機構１８は、グリップ部４を本体部２に対して図４中矢印Ｃに示す光軸と直交する軸回りに略９０゜の角度範囲で回動可能に支持している。したがって、このデジタルビデオカメラ１では、撮影時の位置や角度等に合わせて本体部２に対するグリップ部４の向きを切り替えることが可能である。
【００３０】
なお、グリップ部４の各所には、このグリップ部４を把持しながら、撮影のための各種操作を行うためのシャッタボタン１９ａやズームレバー１９ｂ等が設けられている。また、グリップ４の側面には、このグリップ部４を把持した手を押さえるためのグリップベルト（図示せず。）が取り付けられている。
【００３１】
また、グリップ部４には、図５に示すように、このグリップ４の筐体を構成する蓋体２０が開閉可能に取り付けられており、この蓋体２０の内側には、テープカセット２１を装着するためのカセット装着部２２が設けられている。なお、グリップ部４の内部には、上述した撮像ユニット及び音声収録ユニットからの映像信号及び音声信号等を記録／再生するための記録再生ユニットとして、上述したテープカセット装着部２２に装着されたテープカセット２１の磁気テープに対して、信号の記録／再生を行う回転ヘッド装置や、複数のガイドローラにより引き回された磁気テープをピンチローラとキャップスタンとで挟み込みながら、この磁気テープを一定の速度で走行させるテープ走行機構等が設けられている。
【００３２】
以上のように構成されるデジタルビデオカメラ１では、グリップ４を把持した状態で、背面側のビューファインダ８を覗きながら、或いはパネル部３の液晶表示パネルを見ながら、動画や静止画等の撮影を行うことが可能である。
【００３３】
また、このデジタルビデオカメラ１では、本体部２に対するパネル部３の向きを切り替えることによって、例えば液晶表示パネル１６を見ながら撮影者自身を撮影するといったことが可能である。
【００３４】
さらに、このデジタルビデオカメラ１では、撮影時の位置や角度等に合わせて本体部２に対するグリップ部４の向きを切り替えることによって、グリップ部４の握り易さと安定した角度での撮影を可能としている。特に、図４に示す状態では、本体部２に対してグリップ部４がちょうど一眼レフと同じような形態となるため、撮影者が静止画を撮影し易くなるといった効果がある。
【００３５】
次いで、本体部２の上面２ａに設けられているフラッシュ発光部６について説明する。このフラッシュ発光部６は、フラッシュ発光を行うストロボ装置２３と、ストロボ装置２３を本体部２の上面２ａよりポップアップ位置に回動自在に支持するポップアップ機構２４とからなる。ストロボ装置２３は、静止画の撮影時に被写体光量が確保されているときには、図１に示すように、本体部２内の格納位置に収納され、被写体光量が不足しているときには、図７に示すように、本体部２内の格納位置からポップアップ位置に跳ね上げられ、フラッシュ発光が可能とされる。
【００３６】
このストロボ装置２３のポップアップ機構２４は、図８及び図９に示すように、本体部２の上面２ａに組み付けられているベースフレーム２５と、ベースフレーム２５の前側２５ａのポップアップ位置と後側２５ｂの収納位置とに亘る図８中矢印Ｐ方向及び反矢印Ｐ方向へスライド可能に支持されるとともにストロボ装置２３が取り付けられる可動フレーム２６と、ベースフレーム２５の前側２５ａにスライドされた可動フレーム２６をポップアップ位置に上昇させて支持する支持アーム２７と、可動フレーム２６をベースフレーム２５の前側２５ａに付勢する引っ張りコイルバネ２８と、ベースフレーム２５に回転自在に取り付けられ、可動フレーム２６をベースフレーム２５の後側２５ｂに係止させる作動部材２９とを有する。
【００３７】
可動フレーム２６をスライド可能に支持するベースフレーム２５は、略矩形状の金属板により形成され、本体部２を構成する左右一対のハーフが突き合わされることにより、本体部２の上面２ａに挟持されている。ベースフレーム２５は、長手方向を本体部２の長手方向と一致させて配設され、前側２５ａから後側２５ｂにかけて、ストロボ装置２３が収納される収納部３０と、可動フレーム２６がスライド自在に配設される主面部３１と、可動フレーム２６を後側２５ｂに係止する作動部材２９が配設される係止部３２が形成されている。また、ベースフレーム２５は、本体部２の上面２ａの傾斜に合わせて収納部３０が形成されている前側２５ａが主面部３１より下方に傾斜する傾斜面３３を介して段違いに形成されている。
【００３８】
ストロボ装置２３が収納される収納部３０は、本体部２内に収納されたストロボ装置２３の外筐体の形状に応じて略矩形状に形成されている。また、収納部３０は、両側縁３０ａ，３０ｂに、後述する可動フレーム２６をポップアップ位置に上昇させて支持する支持アーム２７の一端が回動自在に取り付けられるアーム取付片３５，３５が形成されている。アーム取付片３５，３５は、挿通孔３５ａ，３５ａが穿設され、この挿通孔３５ａ，３５ａが支持アーム２７に穿設された挿通孔と連続された後、ビス止めされることにより、支持アーム２７が回動可能に支持される。
【００３９】
また、収納部３０は、傾斜面３３を介して主面部３１及び係止部３２より低位置に形成されている。したがって、ストロボ装置２３は、収納部３０に収納されることにより主面部３１及び係止部３２の主面と略同じ高さとされ、図１に示すように、本体部２の上面２ａとストロボ装置２３の外筐体の上面とが面一とされる。
【００４０】
なお、ストロボ装置２３は、後述するように可動フレーム２６がベースフレーム２５の前側２５ａへスライドされながらポップアップ位置へ回動されるものであるため、本体部２内に収納された状態において、ストロボ装置２３の後端部と本体部２の上面２ａとの間にクリアランスを設ける必要がない。すなわち、ストロボ装置がベースフレームの前側にスライドされることなく単に回動されることによりポップアップ位置へ立ち上がる撮像装置においては、回動支点に近いストロボ装置の後端と本体部の上面との間に、ストロボ装置の後端部の回動領域を確保するため、所定のクリアランスを形成する必要がある。そのため、ストロボ装置が本体部内に収納されている状態においても、ストロボ装置の後端部と本体部の上面との間に当該クリアランスが現れ、本体部上面を平坦に形成することができなかった。これに対し、本願が適用されたストロボ装置２３は、後述するように、ストロボ装置２３が本体部２の前方にスライドしながらポップアップ位置へ回動されるものであるため、本体部２の上面２ａにストロボ装置２３の回動領域を確保するためのクリアランスを形成する必要がない。したがって、ストロボ装置２３の収納時においては、図１０及び図１１に示すように、本体部２の上面２ａを略平坦に形成することができる。
【００４１】
可動フレーム２６がスライド自在に配設される主面部３１には、スライド方向の両側縁３１ａ，３１ｂに後述する可動フレーム２６がスライド自在に係止される側壁４１，４１が折り曲げ形成されている。側壁４１，４１は、可動フレーム２６のスライド方向に一対の長孔４２ａ，４２ｂが前後に離間して形成されている。長孔４２ａ，４２ｂには、ビス３７，３８が挿入されるとともに、これらビス３７，３８が可動フレーム２６を挿通された後かしめられることにより、可動フレーム２６がスライド自在に係合される。したがって、長孔４２ａ，４２ｂの長手方向の長さによってビス３７，３８の移動領域が規制されることによって、可動フレーム２６のスライド領域が定まる。
【００４２】
側壁４１，４１の近傍には、可動フレーム２６をベースフレーム２５の前側２５ａへ付勢する引っ張りコイルバネ２８の一端が係止されるバネ係止部４４，４４が立設されている。また両側壁４１，４１の間には、前側２５ａにスライドされた可動フレーム２６が付き当てられる突き当て壁４５が折り曲げ形成されている。また、突き当て壁４５はベースフレーム２５の後側２５ｂ面にダンパーが貼り付けられている。この突き当て壁４５には、可動フレーム２６が引っ張りコイルバネ２８によりベースフレーム２５の前側２５ａにスライドされると、可動フレーム２６に設けられた立壁７２が当接される。このとき、突き当て壁４１にはダンパーが貼着されいるため、可動フレーム２６のスライドに伴う騒音を減少させることができる。なお、ダンパーは、突き当て壁４５でなく、可動フレーム２６の立壁７２側に形成してもよい。
【００４３】
主面部３１よりベースフレーム２５の後側２５ｂにかけては、可動フレーム２６を係止する作動部材２９及び作動部材２９を回動操作するプランジャー９０が配設される係止部３２とされている。そして、係止部３２は、可動フレーム２６をベースフレーム２５の後側２５ｂに係止することにより、本体部２内に押下されたストロボ装置２３がポップアップ位置へ回動しないようにする。
【００４４】
このようなベースフレーム２５にスライド自在に係合される可動フレーム２６は、ストロボ装置２３が取り付けられ、ベースフレーム２５の前側２５ａに配設されてポップアップ位置と収納位置とに亘って回動されるポップアップ部５１と、ベースフレーム２５の両側壁４１，４１にそれぞれ前後に離間して形成された長孔４２ａ，４２ｂにスライド自在に係合されるスライド部５２とからなる。
【００４５】
ポップアップ部５１は略矩形板状に形成され、ストロボ装置２３がビス等により取り付けられている。また、ポップアップ部５１は、スライド方向の両側縁に側壁５３，５３が折り曲げ形成されている。これら側壁５３，５３は、先端５３ａ側にビス３９，３９が挿通される挿通孔５４，５４が形成されている。そして側壁５３，５３は、挿通孔５４，５４に、支持アーム２７，２７の一端を挿通したビス３９，３９が挿通され、かしめられることにより、支持アーム２７，２７に回転自在に係合されている。また、側壁５３，５３は、後端５３ｂ側にも上記ビス３７，３７が挿通される挿通孔５５，５５が形成されている。そして、側壁５３，５３は、挿通孔５５，５５にスライド部５２のスライド壁５６を挿通したビス３７，３７が挿通され、かしめられることにより、スライド部５２と回転自在に係合されている。
【００４６】
ポップアップ部５１と回転自在に係合されたスライド部５２は、ポップアップ部５１の側壁５３，５３と係合されるスライド壁５６，５６と、両スライド壁５６，５６間の主面部６５に取り付けられ、後述する作動部材２９と係合される係止部材５７とを備える。スライド壁５６，５６は、先端５６ａにビス３７，３７が挿通される挿通孔５８，５８が穿設されている。そして、スライド壁５６，５６は、挿通孔５８，５８が上記ポップアップ部５１の側壁５３，５３の後端５３ｂに穿設された挿通孔５５，５５と連続された後、ベースフレーム２５の側壁４１，４１に穿設された長孔４２ａを介してビス３７，３７が挿通され、かしめられることにより、スライド部５６とポップアップ部５１とが回転自在に係合される。また、スライド壁５６，５６は、後端５６ｂにも上記ビス３８，３８が挿通される挿通孔５９，５９が穿設されている。そして、スライド壁５６，５６は、挿通孔５９，５９にベースフレーム２５の側壁４１，４１に穿設された長孔４２ｂを介してビス３８，３８が挿通され、かしめられている。
【００４７】
このように可動フレーム２６は、ポップアップ部５１とスライド部５２とがビス３７，３７に挿通されることにより係合されるとともに、当該ビス３７，３７がベースフレーム２５の側壁４１，４１に穿設された長孔４２ａを介して挿通されている。また、スライド部５２のスライド壁５６，５６の後端５６ｂに穿設された挿通孔５９，５９にも、同様にビス３８，３８がベースフレーム２５の側壁４１，４１に穿設された長孔４２ｂを介して挿通されている。これにより、可動フレーム２６は、ベースフレーム２５の長孔４２ａ，４２ｂに沿って、長孔４２の穿設方向である図８中矢印Ｐ方向及び反矢印Ｐ方向へスライド自在とされている。
【００４８】
また、スライド部５２は、スライド壁５６，５６の後方に、一端がベースフレームのバネ係止部４４，４４に係止された引っ張りコイルバネ２８，２８の他端が係止されるバネ係止部６１，６１が形成されている。可動フレーム２６は、バネ係止部６１，６１とベースフレーム２５のバネ係止部４４，４４間に引っ張りコイルバネ２８が配設されることにより、常時これら引っ張りコイルバネ２８，２８によってベースフレーム２５の前側２５ａ方向である図８中矢印Ｐ方向へ付勢されている。
【００４９】
スライド部５２の両スライド壁５６，５６間に配設された係止部材５７は、後述する作動部材２９に係止されることにより可動フレーム２６をベースフレーム２５の後側２５ｂに係止させるものである。この係止部材５７は、略円盤状の回転部６２から、作動部材２９に係止される係止片６３と、係止部材５７を回動付勢する付勢部材が取り付けられる付勢片６４とが延設されている。係止片６３及び付勢片６４とは、略Ｌ字状をなして一体に形成されるとともに、両片が延設される回転部６２がビス等によりスライド部５２の主面部６５に回動自在に取り付けられている。
【００５０】
係止片６３は、先端部に作動部材に係止される係止ピン６６が下方に向けて突設されている。また、付勢片６４は、先端に引っ張りコイルバネ６８の一端が係止されるバネ係止孔６９が穿設されている。一端が付勢片６４に係止される引っ張りコイルバネ６８は、他端をポップアップ部５１の後方に形成されたバネ係止孔７０に係止されることにより、常時、係止部材５７を付勢片６４がポップアップ部５１側に回転する図８中矢印Ｒ方向へ回動付勢している。付勢片６４が図８中矢印Ｒ方向へ回動付勢されることにより、付勢片６４と一体に形成されている係止片６３の係止ピン６６も、同様に図８中矢印Ｒ方向へ回動付勢されている。
【００５１】
また、スライド部５２は、主面部６５の前側縁に、ベースフレーム２５の主面部３１に形成された突き当て壁４５と当接する立壁７２が折り曲げ形成されている。立壁７２は、可動フレーム２６が引っ張りコイルバネ２８，２８の付勢力によりベースフレーム２５の前側２５ａにスライドされると、突き当て壁４５と当接される。このとき、突き当て壁４５又は立壁７２のいずれか一方又は両方にダンパーが貼着されることにより、当接時の衝撃やノイズを抑制することができる。
【００５２】
なお、立壁７２にはバネ係止孔７３が穿設され、引っ張りコイルバネ７４の一端が係止されている。引っ張りコイルバネ７４は、他端を可動フレーム２６のポップアップ部５１の後側縁に穿設されたバネ係止孔７５に係止されることにより、常時、スライド部５２とポップアップ部５１とが互いに近接する方向に付勢する。このように、引っ張りコイルバネ７４をポップアップ部５１とスライド部５２の一側縁に偏倚させて架け渡すことにより、可動フレーム２６は、ベースフレーム２５の前側２５ａのポップアップ位置及び、ベースフレーム２５の後側２５ｂの収納位置に位置されている際に、寸法公差や経年使用に基づくガタつき等を当該一側縁によせて抑えることができる。
【００５３】
また、スライド部５２は、主面部６５の後側縁に後述する作動部材２９の係止アーム８１の過剰な回動を規制する回動規制片７７が形成されている。回動規制片７７は、可動フレーム２６がベースフレーム２５上にスライド自在に配設されることにより、作動部材２９の係止アーム８１の回動領域に張り出すように折り曲げ形成されている。そして、引っ張りコイルバネ２８，２８の付勢力を受けた可動フレーム２６が図９中矢印Ｐ方向へスライドされる際、回動規制片７７が作動部材２９の係止アーム８１に当接することにより、係止アーム８１の図９中反矢印Ｓ方向への回動が規制される。これにより、作動部材２９が図９中反矢印Ｓ方向へ過剰に回動することによって規制アーム８２を介して係合されているプランジャー９０に鉄片９２が磁気吸引されなくなり、また、係止アーム８１のフック部８４が再度、係止ピン６６を係合可能な位置に待機できなくなる事態を防止することができる。
【００５４】
このような可動フレーム２６は、引っ張りコイルバネ２８の付勢力により図８中矢印Ｐ方向へスライドされると、ポップアップ部５１が一対の支持アーム２７，２７に支持されることによりポップアップ位置へ回動され、ストロボ装置２３を立ち上げる。ストロボ装置２３を立ち上げる支持アーム２７，２７は、一端部２７ａをベースフレーム２５の収納部３０に形成された一対のアーム取付片３５，３５に図８中矢印Ｕ方向及び反矢印Ｕ方向へ回動自在にビス止めされ、他端部２７ｂを可動フレーム２６のポップアップ部５１に形成された側壁５３，５３の挿通孔５４に回動自在にビス３９，３９に係止されている。また支持アーム２７，２７は、ベースフレーム２５の傾斜面３３に沿って傾斜部７８が形成され、図１２に示すように、ストロボ装置２３の収納位置であるベースフレーム２５側へ回動されることにより、収納部３０及び傾斜面３３に密着して収納される。
【００５５】
このような支持アーム２７，２７は、可動フレーム２６が引っ張りコイルバネ２８，２８によりベースフレーム２５の前側２５ａである図１２中矢印Ｐ方向へスライドされると、図９に示すように、図９中矢印Ｕ方向へ回動し、可動フレーム２６のポップアップ部５１をポップアップ位置へ上昇させ、支持する。これにより、可動フレーム２６のポップアップ部５１に取り付けられたストロボ装置２３がデジタルビデオカメラ１の本体部２の上面２ａより立ち上げられる。また、支持アーム２７，２７は、ストロボ装置２３が本体部２内へ押下されることによりベースフレーム２５の収納部３０へ収納されると、可動フレーム２６のポップアップ部５１がベースフレーム２５の後側２５ｂである図９中反矢印Ｐ方向へスライドされ、図１２に示すように、図１２中反矢印Ｕ方向へ回動して収納部３０及び傾斜面３３に密着して収納される。
【００５６】
作動部材２９は、可動フレーム２６のスライド部５２に設けられた係止部材５７の係止片６３を係止することにより、可動フレーム２６をベースフレーム２５の後側２５ｂに係止させ、ストロボ装置２３を本体部２内に収納させるものである。この作動部材２９は、略円盤状の回転部８０から、係止片６３に突設された係止ピン６６を係止する係止アーム８１と、後述するプランジャー９０と係合され係止アーム８１の回転を規制する規制アーム８２とが延設されている。
【００５７】
回転部８０は、ベースフレーム２５の係止部３２に回転自在に直接ビス止めされ、係止アーム８１及び規制アーム８２を図８中矢印Ｓ方向及び反矢印Ｓ方向へ回転させる。
【００５８】
また、係止アーム８１は、先端部に係止片６３より下方へ突設された係止ピン６６と係合するフック部８４が形成されている。フック部８４は、前側面が係止ピン６６が摺動可能に傾斜する摺動斜面８４ａとされ、後側面が係止ピン６６が係止される引っ掛け斜面８４ｂとされている。また係止アーム８１は、可動フレーム２６のスライド部５２に形成された回動規制片７７が当接される当接片８３が立ち上がり形成されている。係止アーム８１は、可動フレーム２６が図９中矢印Ｐ方向へスライドされ、係止ピン６６によって同図中反矢印Ｓ方向へ回動されたとき、回動規制片７７に当接されることにより、反矢印Ｓ方向への過剰な回動が規制され、再度フック部８４と係止ピン６６との係合が可能な位置に保持される。
【００５９】
規制アーム８２は、先端部８２ａに、プランジャー９０に磁気吸引された鉄片９２に挿通された突部８６が上方に向けて形成されている。そして規制アーム８２は、プランジャー９０に鉄片９２が磁気吸引されることにより図８中矢印Ｓ方向へ回動付勢され、プランジャー９０による鉄片９２の磁気吸引力がキャンセルされると図８中反矢印Ｓ方向への回動が可能とされる。
【００６０】
このような作動部材２９は、規制アーム８２がプランジャー９０に磁気吸引された鉄片９２に回動付勢されることにより係止アーム８１も図１２中矢印Ｓ方向へ回動される。また、上述したように、可動フレーム２６に設けられた係止部材５７は、引っ張りコイルバネ６８によって常時、図１２中矢印Ｒ方向へ回動付勢されている。したがって、作動部材２９の係止アーム８１は、フック部８４の引っ掛け斜面８４ｂに、係止部材５７の係止片６３に突設された係止ピン６６を係止させる。これにより作動部材２９は、可動フレーム２６を引っ張りコイルバネ２８，２８の付勢力に対抗してベースフレーム２５の後側である係止部３２に係止させておくことができる。
【００６１】
そして、作動部材２９は、プランジャー９０による鉄片９２の磁気吸着力がキャンセルされ係止アーム８１が回動自由とされると、フック部８４の引っ掛け斜面８４ｂに係止されていた係止ピン６６が、引っ張りコイルバネ２８，２８の図１２中矢印Ｐ方向への付勢力により、係止アーム８１を反矢印Ｓ方向に回転させながらフック部８４の引っ掛け斜面８４ｂを摺動し、係止ピン６６とフック部８４との係合が解除される。したがって、可動フレーム２６は、引っ張りコイルバネ２８，２８の付勢力により、図９中矢印Ｐ方向へスライドされる。
【００６２】
さらに、作動部材２９は、可動フレーム２６のポップアップ部５１が押下されることによりスライド部５２が図１２中反矢印Ｐ方向へスライドされると、係止部材５７の係止片６３の係止ピン６６が、図１２中反矢印Ｒ方向へ回動しながらフック部８４の摺動斜面８４ａを摺動していく。また、このとき作動部材２９は、プランジャー９０によって鉄片９２が磁気吸引されているため、規制アーム８２が図１２中矢印Ｓ方向へ付勢され、自由な回動が規制されている。したがって、作動部材２９は、係止ピン６６がフック部８４の摺動斜面８４ａを乗り越え、引っ張りコイルバネ６８の付勢力により図１２中矢印Ｒ方向へ回動されると、係止ピン６６を引っ掛け斜面８４ｂに係止する。これにより可動フレーム２６は、引っ張りコイルバネ２８，２８の付勢力に抗してベースフレーム２５の係止部３２に係止される。
【００６３】
なお、このような作動部材２９の回転を規制するプランジャー９０は、ベースフレーム２５の係止部３２に形成された開口部９１上を跨ぐように配設され、一部を係止部３２上にビス止めされることによりベースフレーム２５に固定されている。プランジャー９０は、平行状態に一対のマグネットが支持され、これら両マグネットの外周にコイルを巻装したボビンが各々装着されている。そして、ボビンの開口部側から二股上の鉄片９２が挿入され、鉄片９２の先端部が上述したマグネットの先端面に磁気吸着されている。鉄片９２は、これに形成した接続孔９２ａに、作動部材２９の規制アーム８２に突設された突部８６が挿入されている。
【００６４】
そして、プランジャー９０は、コイルが無通電状態のときには、マグネットに発生する磁気吸引力により鉄片９２を吸着し、作動部材２９の規制アーム８２を図１２中矢印Ｓ方向へ回転保持する。また、プランジャー９０は、コイルが通電状態とされると、コイルに発生する電磁力によりマグネットの磁気吸引力が消滅し、これにより鉄片９２の吸着力が消滅するため、作動部材２９を回転自由とする。
【００６５】
なお、鉄片９２は、プランジャー９０による磁気吸引力がキャンセルされ、作動部材２９の規制アーム８２が図９中反矢印Ｓ方向へ回動されたとき、ベースフレーム２５の係止部３２に立ち上がり形成された規制壁９３に当接されることにより、ボビンの開口部から過剰に飛び出すことが防止されている。したがって、鉄片９２がボビンの開口部からプランジャー９０の磁気吸引力が及ばない位置まで飛びだし、作動部材２９を図１２中矢印Ｓ方向へ回動付勢することにより可動フレーム２６の係止ができなくなる事態が防止されている。
【００６６】
次いで、以上のような構成を備えたストロボ装置２３のポップアップ機構２４のポップアップ動作について説明する。ストロボ装置２３は、デジタルビデオカメラ１の不使用時や、静止画や動画の撮影時に被写体光量が十分確保されているときには、図１に示すように、本体部２の上面２ａの格納位置に収納されている。このとき、ポップアップ機構２４は、図１２に示すように、ストロボ装置２３が取り付けられた可動フレーム２６が、作動部材２９に係止されることにより、引っ張りコイルバネ２８，２８の付勢力に対抗して、ストロボ装置２３を格納位置に保持する図１２中反中矢印Ｐ方向に保持されている。
【００６７】
具体的に、可動フレーム２６は、係止部材５７の係止片６３に突設された係止ピン６６が、作動部材２９の係止アーム８１に形成されたフック部８４の引っ掛け斜面８４ｂに係止されている。このとき、係合部材５７は、付勢片６４に一端が接続された引っ張りコイルバネ６８の付勢力により図１２中矢印Ｒ方向に回動付勢され、また、作動部材２９は、規制アーム８２の突部８６が挿通された鉄片９２が無通電状態とされているプランジャー９０のマグネットに磁気吸引されることにより図１２中矢印Ｓ方向に回動付勢されている。そして、プランジャー９０の鉄片９２を吸引する力は引っ張りコイルバネ２８，２８が可動フレーム２６を図１２中矢印Ｐ方向へスライドさせる付勢力よりも大きくされているため、可動フレーム２６は、引っ張りコイルバネ２８，２８の付勢力に対抗して、係止片６３の係止ピン６６が係止アーム８１のフック部８４に係止され、ベースフレーム２５の後側２５ｂである係止部３２に係止される。
【００６８】
可動フレーム２６が係止部３２に係止されることにより、ポップアップ部５１もベースフレーム２５の後側２５ｂにスライドされる。したがって、ポップアップ部５１の両側壁５３，５３の先端５３ａに取り付けられている支持アーム２７，２７が図１２中反矢印Ｕ方向へ回動されることにより、ポップアップ部５１に取り付けられたストロボ装置２３は、本体部２内の収納位置に収納されている。
【００６９】
このとき、可動フレーム２６をベースフレーム２５の後側２５ｂに形成された係止部３２に係止させる作動部材２９は、ベースフレーム２５の面方向である図８中矢印Ｓ方向及び反矢印Ｓ方向へ回動するように形成されているため、厚さを薄く形成されている。また、ストロボ装置２３をポップアップ部５１に取り付けるとともに、作動部材２９と係合される係止部材５７をポップアップ部５１よりもベースフレーム２５の後方に形成されたスライド部５２に設け、ストロボ装置２３と係止部材５７とを離間して形成している。さらに、ストロボ装置２３が収納されるベースフレーム２５の収納部３０は、主面部３１と傾斜面３３を介して低位置に形成されている。したがって、ストロボ装置２３及びストロボ装置２３のポップアップ機構２４は、本体部２内の上面２ａから突出することなく収納され、図１０に示すように、本体部２の上面２ａを面一に形成することができる。
【００７０】
また、ストロボ装置２３は、ベースフレーム２５の前側２５ａにスライドされながらポップアップ位置へ回動されるものであるため、ストロボ装置２３の外筐体の後端部と本体部２の上面２ａとの間には、ストロボ装置２３の外筐体の回動領域を確保するためのクリアランスを形成する必要がないものである。したがって、ストロボ装置２３の収納時においては、図１１に示すように、本体部２の上面２ａは、略平坦に形成することができる。
【００７１】
静止画や動画の撮影時に被写体光量が不足している際、ポップアップ機構２４は、自動的に、又はポップアップ釦等が操作されることにより、ストロボ装置２３のポップアップ動作を行う。具体的には、ポップアップ機構２４は、先ずプランジャー９０のコイルにパルス信号が印加されることで、プランジャー９０内に設けられたマグネットの磁気力がキャンセルされる。これにより、プランジャー９０のボビンより鉄片９２が抜き出し自在とされる。鉄片９２の磁気吸引力がキャンセルされることにより、規制アーム８２を介して鉄片９２と接続された作動部材２９は、図９に示すように、可動フレーム２６をベースフレーム２５の前側２５ａにスライドさせる引っ張りコイルバネ２８，２８の付勢力を受けて、係止アーム８１のフック部８４に係止されている係止ピン６６がフック部８４の引っ掛け斜面８４ｂを摺動しながら、図１２及び図９中矢印Ｒ方向に回転し、フック部８４との係合が解除される。
【００７２】
係止ピン６６とフック部８４との係合が解除されると、可動フレーム２６は、引っ張りコイルバネ２８，２８の付勢力により、スライド部５２の両スライド壁５６，５６に挿通されたビス３７，３８がベースフレーム２５の両側壁４１，４１の長孔４２ａ，４２ｂにガイドされて、ベースフレーム２５の前側２５ａである図９中矢印Ｐ方向にスライドされる。可動フレーム２６がベースフレーム２５の前側２５ａにスライドされるにつれて、ポップアップ部５１は、両側壁５３，５３に係合している支持アーム２７，２７が図９中矢印Ｕ方向へ回動することによりポップアップ位置まで上昇され、支持される。可動フレーム２６は、ベースフレーム２５の側壁４１，４１に設けられた長孔４２ａ，４２ｂの前端部にスライド壁５６，５６を挿通するビス３７，３８が係止されることによりスライド長さ及びポップアップ部５１の回動高さが規制される。なお、このとき、ベースフレーム２５の突き当て壁４５には、ダンパー部材が取り付けられているため、可動フレーム２６の立壁７２が突き当てられた際にも、突き当ての衝撃がダンパー部材により吸収され、突き当て時の振動やノイズによる影響を抑えることができる。
【００７３】
可動フレーム２６のポップアップ部５１がポップアップ位置まで回動されることにより、図１３及び図１４に示すように、ポップアップ部５１に取り付けられているストロボ装置２３が立ち上げられ、ストロボ発光可能とされる。
【００７４】
ここで、作動部材２９の係止アーム８１が係止ピン６６により図９中反矢印Ｓ方向へ回転され、また、可動フレーム２６が図９中矢印Ｐ方向へ回動されることにより、スライド部５２に設けられた回動規制片７７が係止アーム８１の回動領域に移動される。また、プランジャー９０のボビンから突出された鉄片９２は、ベースフレーム２５の係止部３２に立ち上がり形成された規制壁９３に当接されることにより、ボビンの開口部から過剰に飛び出すことが防止されている。
【００７５】
これにより、係止アーム８１は、可動フレーム２６のスライド動作に伴い当接片８３が回動規制片７７に突き当てられ、図９中反矢印Ｓ方向へ過剰な回動が規制される。また、鉄片９２は、プランジャー９０が無通電状態に戻ることにより再度、プランジャー９０内のマグネットにより磁気吸引される。したがって、作動部材２９は、回動規制片７７によって図９中矢印Ｓ方向へ回転されることにより、係止アーム８１のフック部８４が、可動フレーム２６の係止片６３に突設された係止ピン６６と係合可能な位置に戻される。また、作動部材２９は、鉄片９２がプランジャー９０に磁気吸引されることにより、規制アーム８２に突設された突部８６を介して、鉄片９２により図９中矢印Ｓ方向へ回動付勢される。これにより、作動部材２９のフック部８４は、図９中矢印Ｓ方向へ回動付勢され、可動フレーム２６の係止ピン６６を係止可能な付勢力で待機する。
【００７６】
ストロボ撮影が終了すると、ストロボ装置２３は、図１、図１０及び図１１に示すように、ユーザによりポップアップ位置から格納位置まで押下されることにより本体部２内に収納され、ベースフレーム２５の前側２５ａの収納部３０に収納される。ストロボ装置２３が本体部２内に押下されると、ストロボ装置２３が取り付けられた可動フレーム２６のポップアップ部５１もポップアップ位置から格納位置に回動される。これにより、ポップアップ部５１に係合されている支持アーム２７，２７は、図１２中反矢印Ｕ方向へ回動され、ベースフレーム２５の収納部３０及び傾斜面３３に密着して収納される。また、ポップアップ部５１と回動可能に連結されているスライド部５２は、ベースフレーム２５の側壁４１，４１の長孔４２ａ，４２ｂにガイドされて、ベースフレーム２５の後側２５ｂ方向の図１２中反矢印Ｐ方向へスライドされる。
【００７７】
スライド部５２がベースフレーム２５の後側２５ｂへスライドされると、スライド部５２の主面部６５に形成された係止部材５７は、係止片６３に突設されている係止ピン６６が作動部材２９のフック部８４の摺動斜面８４ａを摺動しながら図１２中反矢印Ｒ方向へ回動し、さらにスライドされることにより係止ピン６６がフック部８４の頂部を乗り越えた後、引っ掛け斜面８４ｂに係止される。
【００７８】
そして、係止ピン６６が引っ張りコイルバネ６８により常時図１２中矢印Ｒ方向へ回動付勢され、また、作動部材２９が規制アーム８２を介してプランジャー９０の鉄片９２と接続され、このプランジャー９０のマグネットが鉄片９２を磁気吸引する力が可動フレーム２６をベースフレーム２５の前側２５ａへスライドさせる引っ張りコイルバネ２８，２８の付勢力よりも大きく形成されていることから、作動部材２９のフック部８４は、図１２中矢印Ｐ方向へ付勢された可動フレーム２６に設けられた係止部材５７を介して係止ピン６６が受ける付勢力に対抗して、図１２中矢印Ｓ方向へ回動保持される。これにより、可動フレーム２６がベースフレーム２５の係止部３２に保持され、ストロボ装置２３は、ポップアップ位置に回動されることなく、格納位置に収納される。
【００７９】
以上のようなデジタルビデオカメラ１によれば、可動フレーム２６を本体部２の前後方向にスライド可能に形成するとともに、本体部２の後方に可動フレーム２６を係止する作動部材２９を配設しているため、ストロボ装置２３が、本体部２の前方にスライドしながらポップアップ位置まで回動される。したがって、ポップアップ位置に回動されたストロボ装置２３は、図１３に示すように、発光部が本体部２の前端部近傍に位置されるため、本体部２の前端部に設けられているレンズ部５により光が遮られることがない。
【００８０】
また、可動フレーム２６をベースフレーム２５の後側２５ｂに形成された係止部３２に係止させる作動部材２９は、ベースフレーム２５の面方向である図８中矢印Ｓ方向及び反矢印Ｓ方向へ回動するように形成されているため、厚さを薄く形成されている。また、ストロボ装置２３をポップアップ部５１に取り付けるとともに、作動部材２９と係合される係止部材５７をポップアップ部５１よりもベースフレーム２５の後方に形成されたスライド部５２に設け、ストロボ装置２３と係止部材５７とを離間して形成している。さらに、ストロボ装置２３が収納されるベースフレーム２５の収納部３０は、主面部３１と傾斜面３３を介して低位置に形成されている。したがって、ストロボ装置２３及びストロボ装置２３のポップアップ機構２４は、本体部２内の上面２ａから突出することなく収納され、図１０に示すように、本体部２の上面２ａを面一に形成することができる。
【００８１】
さらに、ストロボ装置２３は、本体部２の前方へスライドされながらポップアップ位置へ回動されるものであるため、ストロボ装置２３の外筐体の後端部と本体部２の上面２ａとの間に、ストロボ装置２３の回動領域を確保するためのクリアランスを形成する必要がない。したがって、デジタルビデオカメラ１は、ストロボ装置２３の収納時において、図１１に示すように、本体部２の上面２ａを平坦に形成することができる。
【００８２】
なお、ストロボ装置２３のポップアップ機構２４では、ストロボ装置２３を把持し、ポップアップ位置まで立ち上げるように操作されることもできる。すなわち、通常は、被写体光量が不足すると、操作者の操作に応じて又は自動的にプランジャー９０が無通電状態とされて、上述したようにストロボ装置２３がポップアップ位置まで回動される。しかし、操作者が直接本体部２の上面２ａに収納されているストロボ装置２３の外筐体上面を把持してポップアップ位置まで立ち上げた場合には、ストロボ装置２３が取り付けられた可動フレーム２６が強制的に図１２中矢印Ｐ方向へスライドされる。
【００８３】
このとき、可動フレーム２６に設けられた係止部材５７の係止ピン６６は、引っ張りコイルバネ６８の付勢力に対抗して、係止アーム８１のフック部８４の引っ掛け斜面８４ｂを摺動しながら図１２中反矢印Ｒ方向へ回動し、フック部８４との係合が解除される。なお、フック部８４は、作動部材２９の規制アーム８２と係合された鉄片９２がプランジャー９０に磁気吸引されているため、図１２中矢印Ｓ方向へ回動付勢され、再度、係止ピン６６との係合が可能な位置に保持されている。
【００８４】
係止ピン６６と作動部材２９のフック部８４との係合が解除されることにより、可動フレーム２６は、ベースフレーム２５をスライド自在とされ、引っ張りコイルバネ２８，２８の付勢力によって図９中矢印Ｐ方向へスライドされる。なお、係止ピン６６は、フック部８４との係合が解除されると、引っ張りコイルバネ６８の付勢力により図９中矢印Ｒ方向へ回動され、再度、フック部８４と係合可能な位置に保持される。また、ベースフレーム２５の突き当て壁４５には、ダンパー部材が取り付けられているため、可動フレーム２６の立壁７２が突き当てられた際にも、突き当ての衝撃がダンパー部材により吸収され、突き当て時の振動やノイズによる影響を抑えることができる。
【００８５】
可動フレーム２６がベースフレーム２５の前側２５ａへスライドされると、ポップアップ部５１は、支持アーム２７，２７が図９中矢印Ｕ方向へ回動されることにより、ポップアップ位置へ上昇される。これによりポップアップ部５１に取り付けられたストロボ装置２３は、本体部２の上面２ａから立ち上がり、ストロボ発光可能とされる。
【産業上の利用可能性】
【００８６】
以上、本発明が適用されたデジタルビデオカメラについて説明したが、本発明は、デジタルビデオカメラ１の他、静止画のみを撮影するデジタルスチルカメラや銀塩フィルムカメラ、カメラ機能を備えた携帯電話やＰＤＡ（Personal Digital Assistant）、レンズ付きフィルム等に適用してもよい。
【図面の簡単な説明】
【００８７】
【図１】本発明が適用された撮像装置のストロボ装置が装置本体内へ収納された状態を前面側からみた全体斜視図である。
【図２】本発明が適用された撮像装置のストロボ装置が装置本体内へ収納された状態を背面側からみた全体斜視図である。
【図３】本発明が適用された撮像装置のパネル部が回動された状態を示す斜視図である。
【図４】本発明が適用された撮像装置のグリップ部が回動された状態を示す斜視図である。
【図５】本発明が適用された撮像装置の蓋体２０が開放された状態を示す斜視図である。
【図６】本発明が適用された撮像装置のバッテリ収納部を示す斜視図である。
【図７】ストロボ装置がポップアップ位置へ回動された状態の記録再生装置を示す斜視図である。
【図８】本発明が適用された撮像装置のストロボ装置のポップアップ機構を示す分解斜視図である。
【図９】本発明が適用された撮像装置のストロボ装置がポップアップ位置へ回動された状態のポップアップ機構を示す斜視図である。
【図１０】本発明が適用された撮像装置のストロボ装置が装置本体内へ収納された状態を示す側面図である。
【図１１】本発明が適用された撮像装置のストロボ装置が装置本体内へ収納された状態を示す平面図である。
【図１２】本発明が適用された撮像装置のストロボ装置が収納位置へ回動された状態のポップアップ機構を示す斜視図である。
【図１３】本発明が適用された撮像装置のストロボ装置がポップアップ位置へ回動された状態を示す側面図である。
【図１４】本発明が適用された撮像装置のストロボ装置がポップアップ位置へ回動された状態を示す平面図である。
【図１５】ストロボ装置が格納された状態の従来の撮像装置を示す斜視図である。
【図１６】ストロボ装置がポップアップ位置に跳ね上げられた状態の従来の撮像装置を示す斜視図である。
【図１７】従来のポップアップ機構を示す分解斜視図である。
【図１８】ポップアップ位置に回動された従来のポップアップ機構を示す斜視図である。
【符号の説明】
【００８８】
１  デジタルビデオカメラ、２  本体部、３  パネル部、４  グリップ部、５  レンズ部、６  フラッシュ発光部、２３  ストロボ装置、２４  ポップアップ機構、２５  ベースフレーム、２６  可動フレーム、２７  支持アーム、２８  引っ張りコイルバネ、２９  作動部材、３７〜３９  ビス、４２  長孔、５１  ポップアップ部、５２  スライド部、５７  係止部材、６６  係止ピン、８１  係止アーム、８２  規制アーム、８４  フック部、９０  プランジャー、９２  鉄片
【図１】
2005208427.tif 000003
【図２】
2005208427.tif 000004
【図３】
2005208427.tif 000005
【図４】
2005208427.tif 000006
【図５】
2005208427.tif 000007
【図６】
2005208427.tif 000008
【図７】
2005208427.tif 000009
【図８】
2005208427.tif 000010
【図９】
2005208427.tif 000011
【図１０】
2005208427.tif 000012
【図１１】
2005208427.tif 000013
【図１２】
2005208427.tif 000014
【図１３】
2005208427.tif 000015
【図１４】
2005208427.tif 000016
【図１５】
2005208427.tif 000017
【図１６】
2005208427.tif 000018
【図１７】
2005208427.tif 000019
【図１８】
2005208427.tif 000020